(57)【要約】【課題】ロールの補充が簡単で、ロールからの紙切断が容易であり、ロールが細くなっても紙切断の容易さが減少せず、外観も優美なロールペーパーホルダを提供すること。【解決手段】主板部２、垂下板部３、斜め前下方に紙切り板部４を備える板状部材１と、板状部材に固着され軸受通孔６が穿設されたブラケット５と、軸受通孔に嵌挿される支持軸部８および支持軸部に平行状とされるロール保持軸部９を有するロール保持桿７と、ロール保持軸部が主板部前方下面に接近するように付勢させるためのブラケット内に装備されたねじりコイルばねとを具備するロールペーパーホルダである。【選択図】図１
2009039182.tif 000002
【特許請求の範囲】
【請求項１】
水平方向に延びる主板部の奥行方向前方には斜め前下方に紙切り板部が伸張し且つ該主板部の奥行方向後部が設置壁面に取付けられる板状部材と、該板状部材奥行方向後方下部において該板状部材に実質的に固着され且つ幅方向に軸受通孔が穿設されたブラケットと、該ブラケットの該軸受通孔に嵌挿される支持軸部および該支持軸部の一端から折返され該支持軸部に平行状とされるロール保持軸部を有するロール保持桿と、該ロール保持桿の該支持軸部を中心として該ロール保持軸部が該板状部材における該主板部の下面に接近するように付勢させるために該ブラケットに設けられる発条部材とを具備することを特徴とするロールペーパーホルダ。
【請求項２】
水平に延びる主板部の奥行方向後端からは設置壁面に取付けられる垂下板部が垂下され且つ該主板部の奥行方向前方には斜め前下方に紙切り板部が伸張する板状部材と、該板状部材における該垂下板部の上部内側に固着され且つ幅方向に軸受通孔が穿設されたブラケットと、該ブラケットの該軸受通孔に嵌挿される幅方向に延びる支持軸部および該支持軸部の一端からＵ字状に折返され該支持軸部に平行状とされるロール保持軸部を有するロール保持桿と、該ロール保持桿の該支持軸部を中心として該ロール保持軸部が該板状部材における該主板部の奥行方向前方下面に接近するように付勢させるための一端が該支持軸部に結合されまた他端が該ブラケットに結合され且つ該支持軸部に嵌合された該ブラケット内に収容されるねじりコイルばねとを具備することを特徴とするロールペーパーホルダ。
【請求項３】
前記紙切り板部内面には、連続山形状下端縁が該紙切り板部前縁から突出する別体の紙切断板部材が添着されていることを特徴とする請求項１または請求項２記載のロールペーパーホルダ。
【請求項４】
前記ロール保持桿における前記ロール保持軸部の自由端には、該ロール保持軸部と該支持軸部とが水平に位置した場合に奥行方向後方に向けたロール抜け制限軸部が曲成されていることを特徴とする請求項１乃至３のいずれか１項記載のロールペーパーホルダ。
【請求項５】
前記ロール保持桿における前記支持軸部には、自由端に向けて回動案内凹環部、ばね可動端係合環部、細軸部が連成され、前記ブラケットの前記軸受通孔に嵌挿された該支持軸部において、該細軸部には前記ねじりコイルばねがその一端を該ばね可動端係合環部に係止させて嵌合され、また該細軸部の先端には該軸受通孔に内嵌されるばね固定端係合スリーブが該ねじりコイルばねの他端を係止させて嵌合されると共に、該ブラケットの後端から奥行方向に該軸受通孔に向けて設けられた第一螺孔に螺合した抜け止螺子の先端が該ばね固定端係合スリーブに圧着され且つ該ブラケットの後端から奥行方向に該軸受通孔に向けて設けられた第二螺孔に螺合した案内螺子の先端が該回動案内凹環部に係合されていることを特徴とする請求項２記載のロールペーパーホルダ。
【請求項６】
前記抜け止螺子および前記案内螺子を螺着後の残余の前記第一螺孔および前記第二螺孔には、前記板状部材における前記垂下板部に前記ブラケットを固着する固定螺子が締着されることを特徴とする請求項５記載のロールペーパーホルダ。
【発明の詳細な説明】
【技術分野】
【０００１】
本発明は、トイレ室に設置されるロールペーパーホルダ、特に棚として使用できる部材を有するロールペーパーホルダに関する。
【背景技術】
【０００２】
トイレ室にロールペーパーホルダと共に、そのロールペーパーホルダ近傍に棚が設置される事例は従来知られている（例えば、特許文献１参照。）。しかしながら、この種のロールペーパーホルダや棚は従来品を単に寄せ集めて構成している場合が多い。即ちこの種のロールペーパーホルダには、棚板とは別に軸に嵌合したロール上に紙切り板が軸着されており、紙切り板は引出される紙に接触していないか、または軽く接触しているに過ぎないので、紙を切断する場合には軸着されている紙切り板を押えて切断しなければならず、片手で切断操作をすることが困難であり、紙の使用が進行してロールが細くなってくるとさらに切断が困難になる。また棚板以外に紙切り板が存在するので複雑な外観を呈するばかりでなく、特にロールが細くなった状態では細いロールがそのまま露出し全体の外観を崩している。
【０００３】
【特許文献１】特許第３９１６８４７号公報
【発明の開示】
【発明が解決しようとする課題】
【０００４】
本発明が解決しようとする課題は、ロールの補充が簡単で、ロールからの紙切断が容易であり、ロールが細くなっても紙切断の容易さが減少せず、外観も優美な棚としても使用できる部材を有するロールペーパーホルダを提供することにある。
【課題を解決するための手段】
【０００５】
前記課題を解決するために、本発明のロールペーパーホルダは、水平方向に延びる主板部の奥行方向前方には斜め前下方に紙切り板部が伸張し且つ該主板部の奥行方向後部が設置壁面に取付けられる板状部材と、該板状部材奥行方向後方下部において該板状部材に実質的に固着され且つ幅方向に軸受通孔が穿設されたブラケットと、該ブラケットの該軸受通孔に嵌挿される支持軸部および該支持軸部の一端から折返され該支持軸部に平行状とされるロール保持軸部を有するロール保持桿と、該ロール保持桿の該支持軸部を中心として該ロール保持軸部が該板状部材における該主板部の下面に接近するように付勢させるために該ブラケットに設けられる発条部材とを具備することを主な特徴とする。
【発明の効果】
【０００６】
本発明は、次のような効果を奏する。
Ａ．ロールは、常にロール保持軸部と主板部との間で押圧されており、ロールから紙を引出すときには、下向きの力を加えることによって主板部とロールとの摩擦によって抵抗を受けながら所定位置まで引出され、また紙を切断するときには、上向きの力を加えることによって、従来品のように紙切り部が移動することがなく、且つ主板部とロールとの摩擦によってさらにロールが解けることがなく切断され、これらの操作はすべて片手で容易且つ確実に行うことができる。紙は所定の長さで引出され、また紙切断の際に不揃いな切断面が発生することがないから、紙の浪費を防止することができる。
Ｂ．紙の使用によってロールが細くなっても、ロール保持軸部はねじりコイルばねによって常に主板部下面に押圧されているから、切断の容易さや確実さを維持することができる。
Ｃ．別体の紙切り板を使用しないで主板部の前端を紙切り板部とすることや、ロール保持軸部の引上げ機構をブラケット内に収容することによって、全体としてシンプルですっきりした外観を呈する。また紙の使用が進んでロールが細くなっても、ロールが主板部側に押圧されているから外観の悪化を防止することができる。
Ｄ．ロール保持軸部は開放された自由端を有するために、ロールの補充や使用済ロール芯の取外しを容易に行うことができる。
【発明を実施するための最良の形態】
【０００７】
本発明を実施するための最良の形態について、以下実施例において、添付図面を参照しながら具体的に説明する。
【実施例】
【０００８】
本発明の実施例について添付図面を参照して説明する。
図１には本発明にかかるロールペーパーホルダの外観が示されている。ロールペーパーホルダはトイレ室の壁に取付けられて使用される。即ち図２にも示されるように、ロールペーパーホルダにおいて、主として金属製とされる板状部材１には水平に延長されると共に棚として利用される主板部２の奥行方向後端から垂下板部３が垂下状に曲成され、垂下板部３を建造物の壁に当接して取付けることによりロールペーパーホルダは建造物の壁に固着される。また主板部２の奥行方向前方には斜め前下方に向けて紙切り板部４が伸張している。さらに板状部材１の奥行方向後方下部、即ち板状部材１における垂下板部３の上部内側にはブラケット５が固着されており、このブラケット５には幅方向に軸受通孔６が穿設されている。この軸受通孔６にはロール保持桿７における支持軸部８が嵌挿されている。ロール保持桿７は幅方向に延びるこの支持軸部８とこの支持軸部８の一端からＵ字状に折返され支持軸部８に平行状とされるロール保持軸部９を有しており、このロール保持軸部９にトイレットペーパーのロールＲが装着される。そして支持軸部８を中心としてロール保持桿７のロール保持軸部９が板状部材１における主板部２の奥行方向前方下面に接近するように付勢させるために、後に詳述するように、ブラケット５内には、発条部材としてねじりコイルばねが収容されている。なお図においてロール保持桿７は単一素材加工品が示されているが、複数の素材を接合して構成することも可能である。
【０００９】
図１や図３には一つの板状部材１にロール保持桿７の向きを変えた２連のロールを収容する態様が示されているが、当然単一のロールを収容する態様も存在する。また手摺Ｈが主板部２から立設されているが、便器の使用者が便座への着座や起立の際に棚板としての主板部２に手をつく行動の前後に手摺Ｈを利用することが多く、主板部２に近接して手摺Ｈを設置することは有用である。図３に示されるように、必要に応じて板状部材１の紙切り板部４内面には、硬質ポリプロピレン等で製造された連続山形状下端縁２３が紙切り板部４前縁から突出する別体の紙切断板部材２２が接着等によって添着される。別体の紙切断板部材２２を設置することによってさらに良好な紙切断を行うことができる。また図１、図３乃至図５に示されるように、ロール保持桿７におけるロール保持軸部９の自由端には、ロール保持軸部９と支持軸部８とが水平に位置した場合に、奥行方向後方に向けたロール抜け制限軸部２４が曲成されている。本発明では支持軸部８を中心としてロール保持桿７のロール保持軸部９が板状部材１の主板部２前方下面に接近するように付勢されているために、このような簡単な構造のロール抜け制限軸部２４を設けることによってロール保持軸部９に装着されたロールＲの抜出しを防止することができる。一方ロール保持軸部９を押下げることによって使い終ったロール芯の取除きや新規ロールＲの補充を簡単に行うことができる。
【００１０】
次にロール保持桿７のロール保持軸部９が支持軸部８を中心として板状部材１の主板部２下面に接近するように付勢される機構について説明する。図４および図５に示されるように、ロール保持桿７における支持軸部８には、自由端に向けて回動案内凹環部１０、ばね可動端係合環部１１、細軸部１２が連成されている。そしてブラケット５の軸受通孔６に支持軸部８が嵌挿された状態を説明すると、支持軸部８の細軸部１２には、ねじりコイルばね１３がその一端をばね可動端係合環部１１に係止させて嵌合され、ねじりコイルばね１３の一端は支持軸部８に結合状態となる。なおばね可動端係合環部１１には係合縦溝１９が設けられており、ねじりコイルばね１３における一方の直線起し端部が係合するようにされている。また細軸部１２の先端には軸受通孔６に内嵌されるばね固定端係合スリーブ１４がねじりコイルばね１３の他端を係止させて嵌合されると共に、ブラケット５の後端から奥行方向に軸受通孔６に向けて設けられた第一螺孔１５に抜け止螺子１６を螺合する。そして抜け止螺子１６の締着によって抜け止螺子１６の先端が細軸部１２に圧着され、この圧着によってばね固定端係合スリーブ１４はブラケット５に固定され、ねじりコイルばね１３の他端はブラケット５に結合状態となる。なおばね固定端係合スリーブ１４にも係合縦溝１９が設けられており、ねじりコイルばね１３における他方の直線起し端部が係合するようにされている。またばね固定端係合スリーブ１４には周上に平面切欠２０が設けられ、抜け止螺子１６の先端がこの平面切欠２０上に圧着されることにより抜け止螺子１６の先端が細軸部１２の圧着位置からずれないようにされている。
【００１１】
その結果ねじりコイルばね１３に付与されたねじり力によって、ロール保持桿７の支持軸部８を中心としてロール保持軸部９は板状部材１における主板部２の奥行方向前方下面に接近するように付勢される。また同様にブラケット５の後端から奥行方向に軸受通孔６に向けて設けられた第二螺孔１７に螺合した案内螺子１８の先端は回動案内凹環部１０に係合されており、この係合によってブラケット５に対し支持軸部８は回動は可能であるが、支持軸部８の軸方向移動は制限されることになる。図４乃至図６で示されるように、第一螺孔１５および第二螺孔１７にはそれぞれ六角穴付ねじである短い抜け止螺子１６および案内螺子１８が螺合されるが、これら抜け止螺子１６および案内螺子１８の螺着後の残余の第一螺孔１５および第二螺孔１７は、板状部材１における垂下板部３にブラケット５を固着するために垂下板部３の透孔から挿通される固定螺子２１，２１を締付ける螺孔として利用される。
【００１２】
本発明は前記のように構成することによって、ロールＲは、常にロール保持軸部９と主板部２との間で押圧されており、ロールＲから紙を引出すときには、下向きの力を加えることによって主板部２とロールＲとの摩擦によって抵抗を受けながら所定位置まで引出され、また紙を切断するときには、上向きの力を加えることによって、従来品のように紙切り部が移動することがなく、且つ主板部２とロールＲとの摩擦によってさらにロールＲが解けることがなく切断され、これらの操作はすべて片手で容易且つ確実に行うことができる。紙は所定の長さで引出され、また紙切断の際に不揃いな切断面が発生することがないから、紙の浪費を防止することができる。さらに紙の使用によってロールＲが細くなっても、ロール保持軸部９はねじりコイルばね１３によって常に主板部２下面に押圧されているから、切断の容易さや確実さを維持することができる。また外観について、従来品のような別体の紙切り板を使用しないで主板部２の前端を紙切り板部４とすることや、ロール保持軸部９の引上げ機構をブラケット５内に収容することによって、全体としてシンプルですっきりした外観を呈し、紙の使用が進んでロールＲが細くなっても、ロールＲが主板部側に押圧されているから外観の悪化を防止することができる。さらに加えてロール保持軸部９は開放された自由端を有するために、ロールＲの補充や使用済ロール芯の取外しを容易に行うことができる。
【図面の簡単な説明】
【００１３】
【図１】ロールペーパーホルダの斜視図である。
【図２】ロールペーパーホルダの側面図である。
【図３】ロールペーパーホルダの下面図である。
【図４】ブラケット部分の水平断面図である。
【図５】ロール保持桿への付勢手段を示す分解斜視図である。
【図６】ブラケットの第一螺孔における縦断面図である。
【図７】ブラケットの第二螺孔における縦断面図である。
【符号の説明】
【００１４】
１  板状部材
２  主板部
３  垂下板部
４  紙切り板部
５  ブラケット
６  軸受通孔
７  ロール保持桿
８  支持軸部
９  ロール保持軸部
１０  回動案内凹環部
１１  ばね可動端係合環部
１２  細軸部
１３  ねじりコイルばね
１４  ばね固定端係合スリーブ
１５  第一螺孔
１６  抜け止螺子
１７  第二螺孔
１８  案内螺子
２１  固定螺子
２２  紙切断板部材
２３  連続山形状下端縁
２４  ロール抜け制限軸部
【図１】
2009039182.tif 000003
【図２】
2009039182.tif 000004
【図３】
2009039182.tif 000005
【図４】
2009039182.tif 000006
【図５】
2009039182.tif 000007
【図６】
2009039182.tif 000008
【図７】
2009039182.tif 000009